(57)【要約】【課題】従来よりも便利な遅延消灯機能を備えた照明装置を提供する。【解決手段】照明装置１は、光出力が連続的に変化可能な照明用光源部３１と、照明用光源部３１の光出力を制御する制御部２０とを備える。制御部２０は、操作者によって選択された動作モードに応じて照明用光源部３１の光出力の制御を行なう。動作モードとして所定の減光制御モードが選択されたとき、制御部２０は、第１の期間で照明用光源部３１から放射される光束を第１の値まで連続的に減少させ、次の第２の期間中、第１の値に保ち、次の第３の期間で第１の値からさらに減少させる。【選択図】図１
2013020844.tif 000002
【特許請求の範囲】
【請求項１】
光出力が連続的に変化可能な照明用光源部と、
前記照明用光源部の光出力を制御する制御部とを備え、
前記制御部は、操作者によって選択された動作モードに応じて前記照明用光源部の光出力の制御を行ない、
前記動作モードとして所定の減光制御モードが選択されたとき、前記制御部は、第１の期間で前記照明用光源部から放射される光束を第１の値まで連続的に減少させ、次の第２の期間中、前記第１の値に保ち、次の第３の期間で前記第１の値からさらに減少させる、照明装置。
【請求項２】
前記制御部は、前記第１および第３の期間で、単位時間あたりの光束の減少率を徐々に低下させる、請求項１に記載の照明装置。
【請求項３】
前記制御部は、前記第２の期間において被照射面の照度が５０ルクスから１００ルクスの間になるよう前記照明用光源部の光出力を制御する、請求項１または２に記載の照明装置。
【請求項４】
前記照明用光源部は、
第１の色温度の光を出力する第１の点灯状態と、
前記第１の色温度よりも低い第２の色温度の光を出力する第２の点灯状態とに設定可能であり、
前記所定の減光制御モードが選択されたとき、前記制御部は、前記照明用光源部を前記第１の点灯状態から前記第２の点灯状態に切替えるとともに、前記第２の点灯状態で放射される光束を前記第１の値よりも高い第２の値に設定し、その後、前記第１の期間で前記第２の点灯状態で放射される光束を前記第２の値から前記第１の値まで連続的に減少させ、次の前記第２の期間中、前記第１の値に保ち、次の前記第３の期間で前記第１の値から０まで連続的に減少させる、請求項１〜３のいずれか１項に記載の照明装置。
【請求項５】
前記第１の色温度は昼白色または昼光色に相当する色温度であり、
前記第２の色温度は電球色に相当する色温度である、請求項４に記載の照明装置。
【請求項６】
前記照明装置は、前記第１の値よりも低い値の光束を放射する常夜灯をさらに備え、
前記所定の減光制御モードが選択されたとき、前記制御部は、前記常夜灯を点灯させる、請求項４または５に記載の照明装置。
【請求項７】
前記常夜灯は、前記第２の点灯状態による放射光と同じ色温度の光を出力する、請求項６に記載の照明装置。
【請求項８】
前記常夜灯は、前記第２の点灯状態による放射光と異なる色温度の光を出力する、請求項６に記載の照明装置。
【請求項９】
前記常夜灯は、単色光を出力する、請求項６に記載の照明装置。
【請求項１０】
前記制御部は、前記第２の期間が終了する時刻よりも所定時間だけ前の時刻に、前記第２の期間の終了を音または光で操作者に知らせる、請求項１に記載の照明装置。
【請求項１１】
前記第２の期間の長さは、前記所定の減光制御モードの実行中に変更可能である、請求項１に記載の照明装置。
【請求項１２】
前記常夜灯から放射される光束の値は変更可能であり、
前記所定の減光制御モードが選択されたとき、前記制御部は、前記常夜灯から放射される光束の値を、前回点灯中の期間の最後に設定していた値にする、請求項６に記載の照明装置。
【発明の詳細な説明】
【技術分野】
【０００１】
この発明は、照明装置に関し、特に発光ダイオード（ＬＥＤ：Light  Emitting  Diode）を光源とする照明装置に関する。
【背景技術】
【０００２】
就寝時に、照明が全点灯状態から急に暗くなってしまうと、急激な明度変化に眼が慣れないといった問題が生じるので、従来から遅延消灯が用いられている。
【０００３】
たとえば、特開平５−３２６１５７号公報（特許文献１）には、消灯操作後に徐々に明度を落としてフェードアウトさせて消灯する遅延消灯機能について記載されている。
【先行技術文献】
【特許文献】
【０００４】
【特許文献１】特開平５−３２６１５７号公報
【発明の概要】
【発明が解決しようとする課題】
【０００５】
近年、従来の白熱電球や蛍光灯に代わる新しい照明用光源としてＬＥＤが注目されている。ＬＥＤは、小型、長寿命、低消費電力の光源であり、指向性にも優れている。さらに、パルス点灯の場合にデューティ比を変化させたり、定電流点灯の場合に電流値を変化させたりすることによって、連続的に照度を調整すること（連続調光）も可能である。
【０００６】
本願の発明者は、このようなＬＥＤの優れた特徴を生かして、従来の遅延消灯機能を使用者にとってより利便性を高めたものに拡張することを検討した（なお、この明細書では、従来の遅延消灯機能を拡張した一般的な呼称として、「減光制御機能」を用いる）。
【０００７】
従来の減光制御機能において、特に問題と考えられるのは次の点である。すなわち、上記の文献に記載された従来の照明器具では、遅延消灯機能が選択された後、蛍光ランプが所定時間後に消灯するようフェードアウトするが、上記遅延消灯機能の動作中は消灯されるまで一定の割合で減光し続ける。このため、使用者が就寝までの間に読書ができる一定の照度以上で保たれる時間が短くなるので、使用者にとって不便であるという問題があった。
【０００８】
この発明は、上記の問題点を考慮してなされたものであって、その目的は、従来よりも利便性の高い減光制御機能を備えた照明装置を提供することである。
【０００９】
なお、本願発明は、ＬＥＤ照明に好適に用いられるものであるが、必ずしもＬＥＤ照明に限られるものでなく、連続調光が可能な光源を用いた照明に広く適用することができる。
【課題を解決するための手段】
【００１０】
この発明は要約すれば照明装置であって、光出力が連続的に変化可能な照明用光源部と、照明用光源部の光出力を制御する制御部とを備える。制御部は、操作者によって選択された動作モードに応じて照明用光源部の光出力の制御を行なう。動作モードとして所定の減光制御モードが選択されたとき、制御部は、第１の期間で照明用光源部から放射される光束を第１の値まで連続的に減少させ、次の第２の期間中、第１の値に保ち、次の第３の期間で第１の値からさらに減少させる。
【００１１】
好ましくは、制御部は、第１および第３の期間で、単位時間あたりの光束の減少率を徐々に低下させる。
【００１２】
好ましくは、制御部は、第２の期間において被照射面の照度が５０ルクスから１００ルクスの間になるよう照明用光源部の光出力を制御する。
【００１３】
好ましくは、照明用光源部は、第１の色温度の光を出力する第１の点灯状態と、第１の色温度よりも低い第２の色温度の光を出力する第２の点灯状態とに設定可能である。所定の減光制御モードが選択されたとき、制御部は、照明用光源部を第１の点灯状態から前記第２の点灯状態に切替えるとともに、第２の点灯状態で放射される光束を第１の値よりも高い第２の値に設定する。その後、制御部は、第１の期間で第２の点灯状態で放射される光束を第２の値から第１の値まで連続的に減少させ、次の第２の期間中、第１の値に保ち、次の第３の期間で第１の値から０まで連続的に減少させる。
【００１４】
好ましくは、第１の色温度は昼白色または昼光色に相当する色温度であり、第２の色温度は電球色に相当する色温度である。
【００１５】
好ましくは、照明装置は、第１の値よりも低い値の光束を放射する常夜灯をさらに備える。所定の減光制御モードが選択されたとき、制御部は、常夜灯を点灯させる。
【００１６】
好ましくは、常夜灯は、第２の点灯状態による放射光と同じ色温度の光を出力する。
もしくは、常夜灯は、第２の点灯状態による放射光と異なる色温度の光を出力する。
【００１７】
もしくは、常夜灯は、単色光を出力する。
好ましくは、制御部は、第２の期間が終了する時刻よりも所定時間だけ前の時刻に、第２の期間の終了を音または光で操作者に知らせる。
【００１８】
好ましくは、上記の第２の期間の長さは、所定の減光制御モードの実行中に変更可能である。
【００１９】
好ましくは、常夜灯から放射される光束の値は変更可能である。所定の減光制御モードが選択されたとき、制御部は、常夜灯から放射される光束の値を、前回点灯中の期間の最後に設定していた値にする。
【発明の効果】
【００２０】
この発明によれば、減光中に照度を所定時間一定にすることによって、眠りにつくまでの間に読書をすることができるという、従来よりも便利な減光制御機能を提供することができる。
【図面の簡単な説明】
【００２１】
【図１】この発明の実施の形態１による照明装置１の構成を示すブロック図である。
【図２】図１のＬＥＤモジュール３２，３３，３４から放射される光束の時間変化を示す図である。
【図３】図１の制御用マイコン２２による、おやすみ調光モードにおける制御手順を示すフローチャートである。
【図４】この発明の実施の形態２による照明装置１Ａの構成を示すブロック図である。
【図５】図４の制御用マイコン２２による、おやすみ調光モードにおける制御手順を示すフローチャートである。
【発明を実施するための形態】
【００２２】
以下、この発明の実施の形態について図面を参照して詳しく説明する。なお、同一または相当する部分には同一の参照符号を付して、その説明を繰返さない。
【００２３】
＜実施の形態１＞
［照明装置の全体構成］
図１は、この発明の実施の形態１による照明装置１の構成を示すブロック図である。この実施の形態では、照明装置１として、天井灯（シーリングランプ）を想定している。照明装置１の操作は主としてリモコンで行なわれる。
【００２４】
図１を参照して、照明装置１は、電源回路１０と、インターフェイス部４０と、制御部２０と、光源部３０とを含む。
【００２５】
（電源回路の構成）
電源回路１０は、商用電力系統から交流（ＡＣ）電圧の入力を受けて直流電圧に変換し、変換によって得られた直流電圧を照明装置１の各部に供給する。なお、図１においては、図解を容易にするために光源部３０のみに電圧が供給されるように示されているが、他の構成要素に対しても必要な直流電圧が供給される。
【００２６】
（インターフェイス部の構成）
インターフェイス部４０は、赤外線受光部４１と、操作ＳＷ４２とを含む。
【００２７】
赤外線受光部４１は、リモコンから出力された赤外線信号を受光し、受光した赤外線信号を光電変換して信号受信部２６に出力する。操作ＳＷ４２は、照明装置１の電源をオン・オフするための電源スイッチなどを含む。電源スイッチの他に、リモコンの各種ボタンに対応する操作スイッチを設けることもできる。操作ＳＷ４２の入力操作に応じた信号は、ＳＷ入力部２７を介して制御用マイコン２２に入力される。
【００２８】
（制御部の構成）
制御部２０は、照明装置１全体を制御する制御用マイコン２２と、電源制御回路２１と、昼光色ＬＥＤモジュール３２用の調光制御回路２３と、電球色ＬＥＤモジュール３３用の調光制御回路２４と、常夜灯ＬＥＤモジュール３４用の調光制御回路２５と、信号受信部２６と、スイッチ（ＳＷ）入力部２７とを含む。
【００２９】
電源制御回路２１は、制御用マイコン２２の指令に従って、電源回路１０の動作を制御するための制御信号を出力する。調光制御回路２３は、制御用マイコン２２の指令に従って、昼光色ＬＥＤモジュール３２からの光出力を制御するための制御信号を出力する。調光制御回路２４は、制御用マイコン２２の指令に従って、電球色ＬＥＤモジュール３３からの光出力を制御するための制御信号を出力する。調光制御回路２５は、制御用マイコン２２の指令に従って、常夜灯ＬＥＤモジュール３４からの光出力を制御するための制御信号を出力する。信号受信部２６は、赤外線受光部４１から出力された光電変換後の電気信号を復調し、復調信号を制御用マイコン２２に出力する。ＳＷ入力部２７は、操作ＳＷ（スイッチ）４２の入力操作に応じた信号を制御用マイコン２２に出力する。
【００３０】
（光源部の構成）
光源部３０は、昼光色ＬＥＤモジュール３２と、電球色ＬＥＤモジュール３３と、常夜灯ＬＥＤモジュール３４とを含む。昼光色ＬＥＤモジュール３２および電球色ＬＥＤモジュール３３を併せて照明用光源部３１とも称する。
【００３１】
ＬＥＤモジュール３２は、多数のＬＥＤ素子によって構成され、色温度が約６５００Ｋ（昼光色）の白色光を放射する。白色光を実現する方法として、たとえば、赤色、緑色、青色のＬＥＤを組合わせる方法や、青色ＬＥＤ素子を該青色ＬＥＤ素子の光により励起されて（波長変換されて）黄色光を発光する黄色蛍光体を含有する樹脂で封止したＬＥＤモジュールを用いることができる。昼光色に代えて、色温度が約５０００Ｋの昼白色を用いてもよい。昼光色または昼白色の光は、室内で作業中のときの照明に適している。ＬＥＤモジュール３２の光出力は、調光制御回路２３からの制御信号に応じて連続的に調整可能である。たとえば、パルス点灯の場合にデューティ比を変化させたり、定電流点灯の場合に電流値を変化させたりすることによって連続調光を行なうことができる。
【００３２】
ＬＥＤモジュール３３も同様に、多数のＬＥＤ素子によって構成され、色温度が約３０００Ｋ（電球色）の白色光を放射する。電球色の光は、夜間に室内でくつろいでいるときや就寝前の照明に適している。電球色の光は、同じ調光率の昼光色や昼白色の光に比較して被照射面における照度が低いため睡眠ホルモンであるメラトニンの分泌が抑制され難い効果がある。ＬＥＤモジュール３３の光出力は、調光制御回路２４からの制御信号に応じて連続的に調整可能である。
【００３３】
照明装置１全体では、ＬＥＤモジュール３２，３３は複数個配置される。たとえば、ＬＥＤモジュール３３，３４は交互に隣接して円形状に配置される。
【００３４】
ＬＥＤモジュール３４は、常夜灯として用いられるもので、放射光の最大強度はＬＥＤモジュール３２，３３に比べてかなり小さい。たとえば、照明装置１の使用者（操作者）の位置での照度は、１〜２ルクス程度である。ＬＥＤモジュール３４の色合いは、通常の場合には、ＬＥＤモジュール３３と同じ電球色が用いられる。
【００３５】
ＬＥＤモジュール３４の明るさは、調光制御回路２５からの制御信号に応じて、高（Ｈ）レベル、中（Ｍ）レベル、低（Ｌ）レベルの３段階に調整可能であるとする。好ましくは、前回点灯中の期間の最後に設定していた光出力のレベルは、制御用マイコン２２の内蔵メモリに記憶される。そして、おやすみ調光モードが選択されたとき、ＬＥＤモジュール３４の光出力は、内蔵メモリに記憶されたレベルに設定される。
【００３６】
［おやすみ調光モードについて］
図１の照明装置１には、色温度の選択、調光、および消灯方法などに関して複数の動作モードが予め設定されており、照明装置１の使用者がリモコンを操作することによって動作モードを選択することできる。以下、この発明に関係する就寝時の動作モードである、おやすみ調光モード（減光制御モードとも称する）について説明する。
【００３７】
図２は、図１のＬＥＤモジュール３２，３３，３４から放射される光束の時間変化を示す図である。ここで、光束とは、放射束（単位時間あたりの放射エネルギー）を視感度で補正したものをいい、単位はルーメン（ｌｍ）である。光束を受光面積で割った値が照度（単位はルクス（ｌｘ））である。
【００３８】
図２において、ＬＥＤモジュール３２，３３については、全点灯時の光束を１００％としたときの比率（調光率とも称する）で光束の大きさが示される。常夜灯用のＬＥＤモジュール３４については、点灯時の調光率を中（Ｍ）レベルとする。
【００３９】
図１、図２を参照して、時刻ｔ１より前の通常モード時には、電球色のＬＥＤモジュール３３の光出力が０であり、昼光色のＬＥＤモジュール３２のみによって照明が行なわれているとする。常夜灯用のＬＥＤモジュール３４は消灯状態（調光率０％）になっている。なお、調光率は、全点灯時の被照射面の照度（例えば直下照度）を１００％としたときの比率で表してもよい。
【００４０】
通常モードでは、ＬＥＤモジュール３２の調光率を１００％（全点灯状態）にしているが、必ずしも１００％である必要はなく、照明装置１の使用者によって設定された調光率であっても構わない。ＬＥＤモジュール３２に代えて電球色のＬＥＤモジュール３３によって照明が行なわれるように設定されていてもよいし、ＬＥＤモジュール３２，３３の両方を点灯することによって昼光色と電球色とを混ぜた中間の色温度にしてもよい。
【００４１】
時刻ｔ１に、照明装置１に使用者によって、動作モードとしておやすみ調光モードが選択されたとする。この実施の形態では、おやすみ調光モードでは、減光に要する時間を３０分または６０分のいずれかに選択可能である（それぞれ、「３０分設定」、「６０分設定」と称する）。さらに、おやすみ調光モードが終了したときの光源部３０の状態を「消灯」か「常夜灯」のいずれかに選択できる。図２には「常夜灯」が選択された場合が示されている。
【００４２】
時刻ｔ１から時刻ｔ２までの約１秒間で、制御部２０は、昼光色のＬＥＤモジュール３２の調光率を０％（消灯状態）にし、電球色のＬＥＤモジュール３３の調光率を５０％にする。光源から放射される光を電球色のような温かみのある色合いにすることによって、同じ調光率の昼光色や昼白色の光に比較して睡眠ホルモンであるメラトニンの分泌を抑制しにくい効果がある。
【００４３】
なお、本実施の形態の場合、おやすみ調光モードにおける照明用光源部３１の動作はＬＥＤモジュール３３のみで行われる例について説明するが、これに限定されず昼白色のＬＥＤモジュール３２で動作してもよいし、昼光色と電球色の中間の色温度の光を出力する点灯状態、すなわちＬＥＤモジュール３２とＬＥＤモジュール３３を両方を点灯させて動作させてもよい。
【００４４】
ただし、使用者を眠りに誘うという観点からは、おやすみ調光モードでは、通常モードよりも照明の色温度を下げたほうが望ましい。したがって、より一般的に言えば、照明用光源部３１は、第１の色温度の光を出力する第１の点灯状態と、第１の色温度よりも低い第２の色温度の光を出力する第２の点灯状態とに設定可能である。そして、おやすみ調光モードが選択されたとき、望ましくは、制御部２０は、照明用光源部３１を第１の点灯状態から前記第２の点灯状態に切替える。
【００４５】
制御部２０は、さらに、時刻ｔ１に常夜灯用のＬＥＤモジュール３４を点灯する。おやすみ調光モードの終了時ではなく、最初に常夜灯を点灯する理由は、おやすみ調光モードから常夜灯モードに移行するときに、滑らかに光束が変化するようにするためである。通常照明用の光源の光出力を０にした後に常夜灯を点灯すると、光束の変化が不連続になり、被照射面における照度が上昇することになる。低照度下における人間の光の変化に対する視覚感覚は高照度下よりも敏感であるため、おやすみ調光モードの終了時にわずかでも照度が上昇することで使用者の眠りが妨げられる虞があるが、最初に常夜灯を点灯することで違和感なく使用者を眠りに誘うことができる。
【００４６】
なお、おやすみ調光モードの開始時点で常夜灯が点灯していても照明装置１の使用者が気付かないようにするためには、常夜灯用のＬＥＤモジュール３４の色温度を、ＬＥＤモジュール３３と同じ電球色に相当する色温度にするとよい。逆に、動作モードがおやすみ調光モードであることを照明装置１の使用者に認識させるために、敢えて、常夜灯用のＬＥＤモジュール３４の色温度を、ＬＥＤモジュール３３と異なる色温度にしても構わない。たとえば、色温度を、電球色に相当する３０００Ｋより低い２７００Ｋにしてもよいし、３０００Ｋより高い４０００〜５０００Ｋにしてもよい。もしくは、常夜灯用のＬＥＤモジュール３４から放射される光を、青色、赤色などの単色光にしてもよい。
【００４７】
次の時刻ｔ２から時刻ｔ３までの期間で、制御部２０は、ＬＥＤモジュール３３の調光率を５０％から３０％まで連続的に減少させる第１の減光処理を行なう。この第１の減光処理では、単位時間当たりの調光率の減少割合が徐々に低下するようにするのが望ましい。理想的には、感覚の強さが刺激の対数に比例するというウエーバー・フェヒナーの法則に基づいて、調光率の対数が経過時間に比例するように減光するのがよい。このように減光することによって、感覚的にはほぼ一定の割合で暗くなっていくことになり、できるだけ短時間で違和感無く減光することができる。
【００４８】
具体的に上記の減光処理を行なう場合、図１の制御用マイコン２２は、調光率の対数と経過時間（具体的にはタイマのカウント値）との関係式に基づいて調光率の設定値を算出し、算出した調光率の設定値に対応する制御信号を調光制御回路２４に出力させるようにする。もしくは、制御用マイコン２２に内蔵されたメモリに、調光率の設定値と経過時間（タイマのカウント値）との関係を表わすテーブルを予め記憶しておき、制御用マイコン２２が、このテーブルに従った制御信号を調光制御回路２４に出力させるようにする。
【００４９】
次の時刻ｔ３から時刻ｔ４までの期間中、ＬＥＤモジュール３３の調光率を３０％に保つ待機処理を行なう。これによって、就寝時に照明装置１の使用者の枕元での被照射面の照度が５０ルクスから１００ルクス程度に保たれるようにする。この照度の値は、照明装置１の使用者のメラトニンの分泌抑制を低減するとともに、眠りに付くまでの間に読書が行なえるようにすることを考慮して設定されたものである。時刻ｔ２から時刻ｔ３までの第１の減光処理の期間で、調光率の対数が経過時間に比例するように減光しているので、使用者は時刻ｔ３から時刻ｔ４の間で低照度に眼が慣れた状態で読書を行なうことができる。もし仮に、５０％から３０％に急激に調光率を低下させていたら、眼が低照度に慣れていないので本を読み難くなってしまい眼に負荷がかかることになる。
【００５０】
なお、言うまでもないことであるが、時刻ｔ２、ｔ３での調光率の設定値である５０％、３０％は全点灯時の光出力の大きさに依存するので、この調光率の値に限定されるものでない。
【００５１】
この実施の形態の場合、第１の減光処理および待機処理に要する時間は、具体的に次のとおりである。３０分設定の場合には、時刻ｔ２から時刻ｔ３までの第１の減光処理の時間は、たとえば５分であり、時刻ｔ３から時刻ｔ４までの待機処理の時間は、たとえば２２分である。６０分設定の場合には、第１の減光処理の時間はたとえば１０分であり、時刻ｔ３から時刻ｔ４までの待機処理の時間は、たとえば４７分である。第１の減光処理の時間が短すぎると、照明装置１の使用者の眼が慣れないうちに照度が低下してしまうことになり望ましくない。逆に第１の減光処理の時間が長すぎると、使用者を眠りに誘うのに最も大切な待機処理の時間が短くなってしまう。これらの点を考慮して第１の減光処理の時間が決定される。
【００５２】
なお、本願発明は、第１の減光処理において単位時間当たりの調光率の減少割合が徐々に低下するよう制御する。すなわち、人間の光の変化に対する視覚感覚が比較的鈍い減光の開始時は速く減光し、視覚感覚が敏感になる低照度になるに従って遅く減光するので、違和感なくかつ短い時間で減光処理を行うことができる。
【００５３】
次の時刻ｔ４からｔ５までの期間で、制御部２０は、ＬＥＤモジュール３３の調光率を３０％から０％まで連続的に減少させる第２の減光処理を行なう。この第２の減光処理でも、単位時間当たりの調光率の減少割合が徐々に低下するようにするのが望ましい。理想的には、調光率の対数が経過時間に比例するように減光した後、最終的に調光率を０％にする。したがって、光源部３０全体から放射される光出力は、時刻ｔ４から徐々に低下し、最終的には常夜灯の光出力に等しくなる。
【００５４】
この実施の形態の場合、３０分設定、６０分設定のいずれの場合も第２の減光処理の時間は、たとえば３分である。第２の減光処理の場合もできるだけ短い時間でできるだけ違和感なくＬＥＤモジュール３３の光出力を０にするのが望ましいが、読書を想定しているわけでないので第１の減光処理と同程度の時間は必要ない。
【００５５】
［おやすみ調光モードにおける制御手順］
図３は、図１の制御用マイコン２２による、おやすみ調光モードにおける制御手順を示すフローチャートである。以下、図１、図３を参照して、これまで説明した内容を総括する。
【００５６】
照明装置１の使用者によっておやすみ調光モードが選択されると、まず、ステップＳ１で、制御部２０は、照明用光源部３１の調光率を５０％にし、調色を電球色にする。すわなち、制御部２０は、昼光色のＬＥＤモジュール３２の調光率を０％にし、電球色のＬＥＤモジュール３３の調光率を５０％にする。
【００５７】
次のステップＳ２で、制御部２０は、おやすみ調光モードの最終点灯状態で常夜灯が選択されているか否かを判定する。常夜灯の点灯が選択されている場合には（ステップＳ２でＹＥＳ）、制御部２０は常夜灯用のＬＥＤモジュール３４を点灯し（ステップＳ３）、その後、処理をステップＳ４に進める。常夜灯の点灯が選択されていない場合（消灯が選択された場合）には（ステップＳ２でＮＯ）、制御部２０は常夜灯用のＬＥＤモジュール３４を点灯せずに、処理をステップＳ４に進める。
【００５８】
次のステップＳ４で、制御部２０は、タイマ設定時間が１時間であるか否か、すなわち６０分設定となっているか、それとも３０分設定となっているかを判定する。６０分設定の場合には（ステップＳ４でＹＥＳ）、制御部２０は、減光タイマを１０分に設定し、待機タイマを４７分に設定する（ステップＳ５）。一方、３０分設定の場合には（ステップＳ４でＮＯ）、制御部２０は、減光タイマを５分に設定し、待機タイマを２２分に設定する（ステップＳ６）。なお、減光タイマおよび待機タイマには、制御用マイコン２２に内蔵されている汎用タイマが用いられる。
【００５９】
次のステップＳ７で、制御部２０は、減光タイマのカウントに基づいて、ＬＥＤモジュール３３の調光率を５０％から３０％まで連続的に減少させる減光処理１を行なう。
【００６０】
調光率を３０％まで減光すると（ステップＳ８でＹＥＳ）、制御部２０は、次の待機処理（ステップＳ９）に処理を進める。待機処理では、調光率が３０％に維持される。制御部２０は、待機タイマがカウントアップする（ステップＳ１０でＹＥＳ）まで、待機処理を継続し、待機タイマがカウントアップすると、次の減光処理２（ステップＳ１１）に処理を進める。
【００６１】
ステップＳ１１の減光処理２では、制御部２０は、ＬＥＤモジュール３３の調光率を３０％からさらに減少させる。既に説明したように減光処理２は、たとえば３分間をかけて消灯状態または常夜灯点灯状態（常夜灯モード）に移行する処理である。電球色のＬＥＤモジュール３３が消灯状態（ステップＳ１２でＹＥＳ）になったら、おやすみ調光モードの各処理が終了する。
【００６２】
以上のとおり、実施の形態１の照明装置１によれば、就寝時に照明が違和感無く連続的に減光されるとともに、減光の途中で所定時間、一定の照度が保たれる。この結果、照明装置の使用者を眠りに導きやすくできるとともに、使用者が眠りにつくまでの間に眼に負荷をかけずに本を読めるようにすることができる。
【００６３】
＜実施の形態２＞
実施の形態２による照明装置１Ａには、待機処理（図３のステップＳ９）の終了時刻よりも所定時間だけ前の時刻に、待機処理がまもなく終了することを音または光で照明装置１Ａの使用者に知らせる機能が付加される。これによって、照明装置の使用者が読書を続けたい場合に、待機タイマ（待機時間）を延長することができるようにする。以下、図４、図５を参照して具体的に説明する。
【００６４】
図４は、この発明の実施の形態２による照明装置１Ａの構成を示すブロック図である。
図４のインターフェイス部４０Ａは、ブザー４３を含む点で図１のインターフェイス部４０と異なる。ブザー４３から出力される音は、照明装置の使用者が既に眠りについている場合には起こさないようにするために、音の大きさ、音の高さ、および音色などが調整されている。
【００６５】
図４の制御部２０Ａは、ブザー出力部２８をさらに含む点で、図１の制御部２０と異なる。ブザー出力部２８は、制御用マイコン２２の指令に従って、ブザー４３を制御するための制御信号を出力する。図４のその他の点は図１と同じであるので、同一または相当する部分には同一の参照符号を付して説明を繰返さない。
【００６６】
図５は、図４の制御用マイコン２２による、おやすみ調光モードにおける制御手順を示すフローチャートである。
【００６７】
図５のフローチャートは、ステップＳ５，Ｓ６に代えてステップＳ５Ａ，Ｓ６Ａを含む点で図３のフローチャートと異なる。ステップＳ５Ａでは（６０分設定の場合）、制御部２０は、減光タイマおよび待機タイマの設定に加えて、予告タイマを４２分に設定する。ステップＳ６Ａでは（３０分設定の場合）、制御部２０は、減光タイマおよび待機タイマの設定に加えて、予告タイマを１７分に設定する。予告タイマは、待機処理（ステップＳ９）がまもなく終了することを知らせるために用いられ、待機タイマより５分短く設定される。
【００６８】
図５のフローチャートは、さらに、ステップＳ９（待機処理の開始）とステップＳ１０（待機タイマのカウントアップ）との間に、ステップＳ２０〜Ｓ２３を含む点で図３のフローチャートと異なる。
【００６９】
予告タイマがカウントアップすると（ステップＳ２０でＹＥＳ）、制御部２０は、ブザーを鳴らして、待機時間がまもなく終了することを照明装置１Ａの使用者に知らせる（ステップＳ２１）。このときのブザー音は、使用者が既に眠りについている場合には気付かないように音の大きさ、音の高さ、および音色などが調整されている。
【００７０】
照明装置１Ａの使用者がリモコンを操作することによって、待機処理時間の延長を入力した場合には（ステップＳ２２でＹＥＳ）、制御部２０は、使用者が入力した時間だけ待機タイマおよび予告タイマを延長する（ステップＳ２３）。待機処理時間を延長するための入力操作は、待機処理の実行中いつでも受付けられる。
【００７１】
図５のその他の点は図３と同じであるので、同一または相当する部分には同一の参照符号を付して説明を繰返さない。
【００７２】
なお、図４、図５では、待機処理がまもなく終了することを音で照明装置１Ａの使用者に知らせる例について説明したが、光を用いて使用者に知らせるようにしてもよい。たとえば、予告タイマがカウントアップすると（ステップＳ２０でＹＥＳ）、電球色用のＬＥＤモジュール３３の光出力を数回変動（点滅動作等）させるようにしてもよい。
【００７３】
今回開示された実施の形態はすべての点で例示であって制限的なものでないと考えられるべきである。この発明の範囲は上記した説明ではなくて請求の範囲によって示され、請求の範囲と均等の意味および範囲内でのすべての変更が含まれることが意図される。
【符号の説明】
【００７４】
１  照明装置、１０  電源回路、２０，２０Ａ  制御部、２２  制御用マイコン、３０  光源部、３１  照明用光源部、３２  昼光色ＬＥＤモジュール、３３  電球色ＬＥＤモジュール、３４  常夜灯用ＬＥＤモジュール、４０，４０Ａ  インターフェイス部、４１  赤外線受光部、４２  操作スイッチ、４３  ブザー。
【図１】
2013020844.tif 000003
【図２】
2013020844.tif 000004
【図３】
2013020844.tif 000005
【図４】
2013020844.tif 000006
【図５】
2013020844.tif 000007